(57)【要約】【課題】異常事態への、オペレータの熟練度によらない即時対応を支援する監視支援装置および監視支援方法を提供する。【解決手段】監視支援装置は、監視対象の複数の物理量の少なくとも１つの値が予め定められた基準から逸脱した場合において警告内容を表示する監視支援装置であって、画面上に警告内容を表示する表示部と、表示部を制御する処理部と、を備える。処理部は、警告内容を補足する補足情報を含む支援情報を、当該警告内容に隣接させて表示するよう表示部を制御する。【選択図】図１
2020198034.tif 000002
【特許請求の範囲】
【請求項１】
監視対象の複数の物理量の少なくとも１つの値が予め定められた基準から逸脱した場合において警告内容を表示する監視支援装置であって、
画面上に前記警告内容を表示する表示部と、
前記表示部を制御する処理部と、
を備え、
前記処理部は、
前記警告内容を補足する補足情報を含む支援情報を、該警告内容に隣接させて表示するよう前記表示部を制御する、監視支援装置。
【請求項２】
前記表示部は、
１以上の前記警告内容の各々を、行毎または連続する複数の行毎に表示し、
前記処理部は、
前記支援情報を、前記警告内容を表示する行、または、前記警告内容を表示する前記連続する複数の行のうちの一番下の行の、下の行に表示するよう前記表示部を制御する、請求項１に記載の監視支援装置。
【請求項３】
前記監視支援装置は、
外部からの入力を受け付ける入力部を更に備え、
前記処理部は、
前記表示部に表示された１以上の前記警告内容のうちの少なくとも１つが前記入力部を介して指定された場合には、指定された前記警告内容の前記支援情報を表示するよう前記表示部を制御する、請求項１または請求項２に記載の監視支援装置。
【請求項４】
前記処理部は、
前記入力部を介して、前記１以上の警告内容のうちのいずれかが指定された場合には、指定された前記警告内容の前記支援情報と、指定されなかった前記警告内容とが画面上において重ならないよう前記表示部を制御する、請求項３に記載の監視支援装置。
【請求項５】
前記処理部は、
前記１以上の警告内容の各々を、画面上において、行毎または連続する複数の行毎に表示するよう前記表示部を制御し、前記１以上の警告情報のうちいずれかが前記入力部を介して指定された場合において、指定された前記警告内容を表示する１以上の行の下の行に、該警告情報の前記支援情報を表示するよう前記表示部を制御し、
前記支援情報の表示前において、前記指定された警告内容が表示されている行の下の行に表示されている他の前記警告内容がある場合には、該支援情報の表示の際に、前記他の警告内容を前記指定された警告内容が表示されている行の下の行から、前記支援情報を表示する行の分だけ下の行に表示するよう前記表示部を制御する、請求項３または請求項４に記載の監視支援装置。
【請求項６】
前記支援情報は、前記警告内容に関連する関連情報であって、該警告内容への対処の際の参考資料に対応する関連情報を含む、請求項１〜請求項５のいずれか一項に記載の監視支援装置。
【請求項７】
前記監視支援装置は、
前記複数の物理量の各値が予め定められた基準から逸脱した場合における前記警告内容の前記支援情報が含む情報を記憶する記憶部を更に備え、
前記処理部は、
前記記憶部から取得した前記支援情報が含む情報を用いて、該支援情報を表示するよう前記表示部を制御する、請求項１〜請求項６のいずれか一項に記載の監視支援装置。
【請求項８】
前記監視支援装置は、
前記複数の物理量の各値が予め定められた基準から逸脱したか否かを判定する制御装置から警告を受信する通信部を更に備え、
前記記憶部は、
１以上の前記制御装置の各々を識別するノード識別情報を記憶し、
前記処理部は、
前記通信部が前記制御装置から前記警告を受信した場合であって、該警告の前記警告内容と共に該警告内容の前記支援情報を前記表示部に表示させる際に、該制御装置の前記ノード識別情報を該支援情報に含ませる、請求項７に記載の監視支援装置。
【請求項９】
前記通信部は、
前記複数の物理量の各値を計測する計測装置から前記制御装置が取得した少なくとも１つの計測結果が前記基準から逸脱している場合において、前記少なくとも１つの計測結果が前記基準から逸脱していることを示す前記警告を、前記制御装置から受信し、
前記記憶部は、
複数の前記計測装置の各々を識別する計測装置識別情報を記憶し、
前記警告は、
前記基準から逸脱した前記計測結果を得た前記計測装置の前記計測装置識別情報に対応する情報を含み、
前記処理部は、
前記通信部が前記制御装置から前記警告を受信した場合であって、該警告の前記警告内容と共に該警告内容の前記支援情報を前記表示部に表示させる際に、前記基準から逸脱した前記計測結果を得た前記計測装置の前記計測装置識別情報を、該警告内容または該支援情報に含ませる、請求項８に記載の監視支援装置。
【請求項１０】
監視対象の複数の物理量の少なくとも１つの値が予め定められた基準から逸脱した場合において警告内容を表示する監視支援装置によって実行される監視支援方法であって、
前記監視支援装置が
表示部に前記警告内容を表示するステップと、
前記警告内容を補足する補足情報を含む支援情報を、該警告内容に隣接させて表示するステップと、
を含む、監視支援方法。
【発明の詳細な説明】
【技術分野】
【０００１】
本発明は、監視支援装置および監視支援方法に関するものである。
【背景技術】
【０００２】
制御システムの運転処理または改造処理の監視において、制御システムから情報を収集し、当該制御システムに異常が発生した場合において警告内容を表示してオペレータによる監視を支援する監視支援装置が知られている。例えば、特許文献１には、当該監視支援装置に相当するものとして、エラー内容および異常への対処方法等をポップアップ画面にて表示する運転支援装置が記載されている。制御システムに異常が発生した場合には、オペレータは、監視支援装置に表示された内容を参照して、当該異常に対処する必要がある。
【先行技術文献】
【特許文献】
【０００３】
【特許文献１】特開２００２−７３１６４号公報
【発明の概要】
【発明が解決しようとする課題】
【０００４】
しかし、監視支援装置に表示される警告内容を参照して、当該警告内容が示す異常に対処する能力には、オペレータによって個人差がある。オペレータが、監視支援装置に表示された警告内容のみを用いて異常に対処する方法を認識している場合には、当該異常の事態への即時対応が可能である。しかし、経験の浅いオペレータの場合には、監視支援装置に表示された警告内容のみを用いての対応が困難な場合もある。この場合において、オペレータが操作に手間取った結果、異常事態に対して早急な措置を行えない可能性がある。そして緊急の対処を必要とする異常事態が発生した場合において、措置が手遅れになってしまう虞がある。
【０００５】
また監視支援装置に表示される警告内容は、その表示方法によって、異常への対処方法がオペレータに迅速に認識されやすいものと、されにくいものとがありうる。例えばポップアップ画面が用いられる場合には、オペレータに必要な処理内容がポップアップ画面によって隠されてしまう虞がある。また、オペレータには、一目で必要な情報を得ることが困難となる場合もある。
【０００６】
本発明は、上記課題を解決するためになされたものであり、異常事態への、オペレータの熟練度によらない即時対応を支援する監視支援装置および監視支援方法を提供することを目的とする。
【課題を解決するための手段】
【０００７】
本発明に係る監視支援装置は、監視対象の複数の物理量の少なくとも１つの値が予め定められた基準から逸脱した場合において警告内容を表示する監視支援装置であって、画面上に前記警告内容を表示する表示部と、前記表示部を制御する処理部と、を備え、前記処理部は、前記警告内容を補足する補足情報を含む支援情報を、該警告内容に隣接させて表示するよう前記表示部を制御する。
【０００８】
本発明に係る監視支援方法は、監視対象の複数の物理量の少なくとも１つの値が予め定められた基準から逸脱した場合において警告内容を表示する監視支援装置によって実行される監視支援方法であって、前記監視支援装置が、表示部に前記警告内容を表示するステップと、前記警告内容を補足する補足情報を含む支援情報を、該警告内容に隣接させて表示するステップと、を含む。
【発明の効果】
【０００９】
本発明に係る監視支援装置および監視支援方法によれば、監視支援装置が、画面上に警告内容を表示する際に、当該警告内容を補足する補足情報を含む支援情報を当該警告内容に隣接させて表示するため、異常事態への、オペレータの熟練度によらない即時対応を支援することができる。
【図面の簡単な説明】
【００１０】
【図１】実施の形態に係る監視支援システムが含む構成と、監視支援装置が含む機能ブロックとを例示する図である。
【図２】実施の形態における集約ポイント定義情報を例示する図である。
【図３】実施の形態における集約支援用詳細情報を例示する図である。
【図４】実施の形態における集約警告内容を例示する図である。
【図５】実施の形態における集約警告内容と共に表示された支援情報を例示する図である。
【図６】処理部が生成した警告詳細情報の一例を示す図である。
【図７】実施の形態に係る監視支援方法の一例を示すフローチャートである。
【発明を実施するための形態】
【００１１】
以下、実施の形態を図面に基づいて説明する。また、以下の図面では各構成部材の大きさの関係が実際のものとは異なる場合もあるとする。
【００１２】
実施の形態．
図１は、実施の形態に係る監視支援システムが含む構成と、監視支援装置が含む機能ブロックとを例示する図である。監視支援システム１００は、例えば、プラント内において機器が正常に動作しているかを監視するためのものである。以下では、監視支援システム１００の監視対象となる、プラント内を一例とする領域を監視対象領域と記載する。
【００１３】
実施の形態に係る監視支援システム１００は、１以上の制御装置１、１以上のＩＯ（Input/Output）装置５、複数の計測装置２、および監視支援装置３を有する。１以上の制御装置１の各々は、１以上のＩＯ装置５と接続されている。１以上のＩＯ装置５の各々は、１以上の計測装置２と１以上の制御対象装置４のうちの少なくとも１つの装置と接続されている。制御装置１は、ＩＯ装置５を介して接続されている制御対象装置４を制御する。この際にＩＯ装置５は、制御装置１から制御信号を入力され、当該制御信号を制御対象装置４へ出力する。制御対象装置４は、例えば攪拌機、ポンプ、またはヒータ等である。
【００１４】
計測装置２は、流量計、圧力計、または温度センサ等であって、設置場所において用途に応じて物理量の値を計測する。計測装置２によって値が計測される物理量は、監視対象領域における物理量であって、監視支援システム１００の監視対象の物理量である。なお、計測装置２による計測処理には検知処理も含まれる。制御装置１は、ＩＯ装置５を介して接続されている計測装置２から計測結果を取得する。計測装置２は、制御対象装置４と一体型でもよく、別個のものでもよい。なお、計測装置２が制御対象装置４と一体型の場合には、監視支援システム１００には、当該制御対象装置４が含まれる。
【００１５】
１以上の制御装置１の各々には一意的な番号が与えられている。当該番号をノード番号と記載する。ノード番号は、１以上の制御装置１の各々を識別するノード識別情報の一例である。制御装置１は複数のスロットを有する。各スロットにはスロット番号が与えられている。制御装置１は、ＩＯ装置５が接続されている信号線をスロットに装着することにより、当該ＩＯ装置５と接続されている１以上の計測装置２または１以上の制御対象装置４と接続する。どの制御装置１のどのスロットにどの計測装置２が接続されるかが決まっている場合には、制御装置１のノード番号とスロット番号との組み合わせは、計測装置２を識別する計測装置識別情報の例となる。
【００１６】
１以上の計測装置２を含むユニットには、一意的なＩＤ（Identification）が与えられている。以下では当該ＩＤを、ユニットＩＤと記載する。当該ユニットＩＤは、計測装置識別情報の例である。また、ＩＯ装置５には、ＩＯ装置５を識別するための一意的なＩＯ番号が与えられている。
【００１７】
監視支援装置３は、１以上の不図示のゲートウェイを介して１以上の制御装置１と有線接続している。なお、監視支援装置３は、制御装置１と無線接続していてもよい。監視支援装置３は、制御装置１が計測装置２から取得した計測結果に異常がある場合に、当該制御装置１から、当該異常を示す情報を取得する。監視支援装置３は、異常発生時以外においても、計測装置２による計測結果を示す情報を制御装置１から受信してもよい。なお、計測結果に異常があるか否かの判定は、制御装置１によって行われる。ただし、計測装置２が、当該判定を行って、その判定結果を制御装置１に通知してもよい。
【００１８】
ここで、計測結果に異常がある場合とは、当該計測結果が予め定められた基準から逸脱している場合を指す。例えば計測装置２が流量計の場合には、予め正常な流量の値の範囲が定められており、流量計が、当該範囲の上限値を上回る流量の値または下限値を下回る流量の値を計測した場合において、制御装置１は異常があると判定する。
【００１９】
制御装置１は、計測結果に異常がある場合において、当該異常が発生したポイントを示す情報を含む警告を、監視支援装置３に送信する。当該警告は、異常の種類に応じ、種々の種類のものがある。ポイントとは、監視対象領域における、計測装置２または計測装置２の計測位置を指す。ポイントは、計測装置２によって値が計測される物理量が関連付けられている。各ポイントには、一意的なポイント名が与えられている。ポイント名は、計測装置識別情報の例である。ポイントには、例えば流量など、計測装置２の計測対象となる物理量を示すディスクリプタが対応付けられている。
【００２０】
監視支援装置３は、制御装置１から警告を受信した場合には、当該警告の内容を表示する。以下では、警告の内容を警告内容と記載する。警告内容は、異常が発生したポイントのポイント名、および当該警告の種類等を含む。警告内容には、ポイントのディスクリプタが含まれてもよい。
【００２１】
監視支援装置３は、通信部３０、記憶部３１、入力部３２、処理部３３、および表示部３４等を備える。通信部３０は、１以上の制御装置１と接続し、当該１以上の制御装置１の各々から、監視対象の物理量の値の変化に関する情報など、監視対象領域における制御状態の監視のための各種情報を取得する。通信部３０は、制御装置１が計測装置２から取得した計測結果に異常があると判定した場合には、当該異常が発生したポイントのポイント名と異常の種類を示す情報を含む警告を、当該制御装置１から受信する。
【００２２】
記憶部３１は、監視対象のポイントについて定義するポイント定義情報を、全てのポイントについて集約した集約ポイント定義情報を格納する。図２は、実施の形態における集約ポイント定義情報を例示する図である。図２に示す例では、監視支援システム１００における全てのポイントは１００個であり、各ポイントには、「ポイント名１」から「ポイント名１００」の各々に対応するポイント名が与えられている。図２に示す集約ポイント定義情報には、各ポイントの、ポイント名と、ディスクリプタと、各ポイントに相当する計測装置２もしくは各ポイントにおいて計測を行う計測装置２を含むユニットのユニットＩＤと、当該計測装置２が接続する制御装置１のノード番号と、当該計測装置２が接続するＩＯ装置５のＩＯ番号とが関連付けられて含まれている。図２に示す例では、「ポイント名１」に対応するポイント名と、「ディスクリプタ１」に対応するディスクリプタ、「ユニット番号１」に対応するユニット番号と、「ノード番号１」に対応するノード番号と、「ＩＯ番号１」に対応するＩＯ番号とが関連付けられている。なお、図２では、集約ポイント定義情報を表形式の情報として示しているが、各ポイントの、ポイント名と、ディスクリプタと、各ポイントに相当する計測装置２もしくは各ポイントにおいて計測を行う計測装置２を含むユニットのユニットＩＤと、当該計測装置２が接続する制御装置１のノード番号と、当該計測装置２が接続するＩＯ装置５のＩＯ番号等とが関連付けられて含まれていれば、集約ポイント定義情報は、表形式でなくともよい。
【００２３】
図１に示す実施の形態における記憶部３１は、全てのポイントにおける監視を支援するための集約支援用詳細情報を格納する。図３は、実施の形態における集約支援用詳細情報を例示する図である。集約支援用詳細情報は、監視対象領域におけるエリア毎の、集約ポイント補足情報と集約ポイント関連情報とを含む。図３に示す一例においては、監視対象領域は、エリア１からエリア１０までの１０個のエリアに分けられている。集約支援用詳細情報は、これら１０個のエリアの各々の、集約ポイント補足情報と集約ポイント関連情報とを含む。図３に示される例では、エリア１には１０個のポイントが存在し、当該１０個のポイントの各々には、「ポイント名１」から「ポイント名１０」の各々に対応するポイント名が与えられている。
【００２４】
集約ポイント補足情報は、１以上のポイントの各々のポイント名と、当該１以上のポイントの各々において想定される異常の種類に対応する警告の種類である警告タイプと、当該１以上のポイントの各々に関する補足情報とを関連付けて含む。補足情報は、警告内容を補足し、オペレータの監視を支援するための情報であり、監視の際に後述する表示部３４に適宜表示される情報である。補足情報は、例えば、オペレータに示されるための文章を含む情報である。当該文章は、例えば、「水圧の値が下限値を下回りました。関連情報１〜３を参照して対処して下さい。」などである。以下では、集約ポイント補足情報に含まれる情報であって、１つのポイントにおけるポイント名と、当該ポイントにおいて想定される警告タイプ等と、当該ポイントに関する補足情報とを関連付けた情報をポイント補足情報と記載する。図３において「ポイント名１」に対応するポイント名を含むポイント補足情報は、「警告タイプ１」に対応する警告タイプと、「補足情報１」に対応する補足情報とを含む。
【００２５】
集約ポイント関連情報は、１以上のポイントの各々のポイント名と、当該１以上のポイントの各々に関する関連情報とを関連付けて含む。関連情報は、警告内容に関連する情報であって、オペレータの監視を支援するための情報であり、監視の際に後述する表示部３４に適宜表示される情報である。関連情報は、オペレータがポイントにおける異常に対処する際の、参考資料に相当する情報または当該情報の所在を示す情報等である。関連情報は、例えば、画像情報、テキスト情報、または記憶部３１に記憶された参考資料に相当する情報へのパスもしくは当該参考資料に相当する情報へのリンク等である。以下では、集約ポイント関連情報に含まれる情報であって、１つのポイントにおけるポイント名と、当該ポイントに関する関連情報とを関連付けた情報をポイント関連情報と記載する。図３において「ポイント名１」に対応するポイント名を含むポイント関連情報は、「関連情報１１」と「関連情報１２」と「関連情報１３」の各々に対応する関連情報を含む。
【００２６】
入力部３２（図１）は、オペレータからの指示を受け付ける。処理部３３は、通信部３０と表示部３４とを制御する。処理部３３は、入力部３２が受け付けた指示に従って動作を実行する。また処理部３３は、入力部３２が受け付けた情報を適宜記憶部３１へ記憶する。また処理部３３は、広域ネットワークと接続する不図示の他の通信部を介して取得した情報を適宜記憶部３１に記憶する。例えば、上述したポイント補足情報またはポイント関連情報等は、オペレータが入力部３２を介して入力したものであっても、不図示の他の通信部が受信したものであってもよい。
【００２７】
処理部３３は、通信部３０が受信した、制御装置１からの各種情報に基づいて動作を実行する。処理部３３は、通信部３０が制御装置１から警告を受信した場合には、警告内容を表示するよう表示部３４を制御する。
【００２８】
表示部３４は、通信部３０が制御装置１から警告を受信する度に、処理部３３からの指示に従って警告内容を表示する。なお、実施の形態における表示部３４は、１以上の制御装置１から受信した１以上の警告の内容を集約した集約警告内容を、画面上に表示する。なお、集約警告内容は、オペレータが指定した１以上のエリアまたは１以上のポイント等において生じた１つ以上の異常についての警告内容を集約したものでもよい。以下、表示部３４によって表示される集約警告内容について図４を参照して説明する。
【００２９】
図４は、実施の形態における集約警告内容を例示する図である。当該一例における集約警告内容には、警告毎の、異常の緊急度合いまたは対処の重要度等を示す優先度、異常が発生した日時、異常が発生したポイントを示すポイント名、当該ポイントのディスクリプタ、および警告タイプ等が含まれる。本実施の形態においては、表示部３４に表示された集約警告内容は、１行に１つの警告内容を含むものとする。ただし、これに限定されない。
【００３０】
図４に示す例における集約警告内容は、上記優先度が「高」、上記日時が「２０ＸＸ／ＹＹ／ＺＺ  ＡＡ：ＢＢ」、ポイント名が「Ｃ」、ディスクリプタが「Ｄ」、および警告タイプが「Ｅ」である警告内容を含む。当該警告内容は、警告タイプが「Ｅ」であり、２０ＸＸ年ＹＹ月ＺＺ日に、ポイント名が「Ｃ」であってディスクリプタが「Ｄ」のポイントにおいて、処理の優先度の高い異常が発生したことを示す。
【００３１】
図４に示すように、表示部３４に表示された各警告内容には、異常の詳細も、異常に対してオペレータが取るべき対処方法を示す情報も含まれていない。本実施の形態に係る監視支援装置３は、オペレータによる監視対象領域の的確な監視と異常が発生した場合の適切な対処とを支援するための情報を、警告内容と共に表示部３４に表示する。以下、詳細を述べる。
【００３２】
本実施の形態における表示部３４は、処理部３３の指示に従い、オペレータによる監視対象への監視と異常への対処とを支援するための支援情報を、集約警告内容における警告内容と共に表示する。支援情報は、上述した補足情報を含む。本実施の形態における支援情報は、補足情報および関連情報等を含む。以下、監視支援装置３による支援情報の表示について詳述する。
【００３３】
本実施の形態における集約警告内容に含まれる各ポイント名には、上述した集約ポイント補足情報において当該各ポイント名と関連付けられている補足情報が関連付けられる。同様に、集約警告内容に含まれる各ポイント名には、上述した集約ポイント関連情報において当該各ポイント名と関連付けられている関連情報が関連付けられる。オペレータが、集約警告内容に含まれるいずれかの警告内容を、入力部を介してポイント名を指定することにより指定すると、処理部３３は、指定された当該警告内容におけるポイント名に関連付けられている補足情報および関連情報を含む支援情報を、当該警告内容の表示箇所に隣接する箇所に表示するよう表示部３４を制御する。本実施の形態では、処理部３３は、指定された警告内容を表示する行の直下の行に、支援情報を表示するよう表示部３４を制御する。なお、処理部３３は、オペレータによる指定がなくとも集約警告内容中の全ての警告内容の各々について支援情報を表示するよう表示部３４を制御してもよい。
【００３４】
図５は、実施の形態における集約警告内容と共に表示された支援情報を例示する図である。図５に示す例では、ポイント名が「Ｃ」の警告内容が指定されている。当該警告内容が表示されている行の下の行には、「流量の値が上限値を上回りました。目標値を調整して下さい。」との補足情報が示されている。また更にその下の行には関連情報として「Ｋ」、「Ｌ」、および「Ｍ」が示されている。
【００３５】
以下、表示部３４が支援情報を表示する際に実行される監視支援装置３による処理について説明する。処理部３３は、監視支援装置３が起動された際、または、警告を受信した際に、集約ポイント定義情報の全部または一部と、集約支援用詳細情報の全部または一部とを記憶部３１から取得する。処理部３３は、集約ポイント補足情報の全部または一部と、集約ポイント関連情報の全部または一部とを用いて、各ポイントのポイント名と警告タイプと補足情報と関連情報とを対応付けた警告詳細情報を生成する。
【００３６】
処理部３３は、監視支援装置３の起動の際に警告詳細情報を生成する場合には、記憶部３１から集約ポイント定義情報の全部と集約支援用詳細情報の全部とを取得し、全てのポイントについての警告詳細情報を生成してもよい。あるいは、処理部３３は、監視支援装置３の起動の際に警告詳細情報を生成する場合には、オペレータが指定した１以上のポイントまたは１以上のエリア等についての１以上のポイント定義情報、１以上のポイント補足情報、および１以上のポイント関連情報を取得し、これら１以上のポイントまたは１以上のエリア等についての警告詳細情報を生成してもよい。処理部３３は、警告を受信した際に警告詳細情報を生成する場合には、当該警告が示す異常が生じたポイントについてのポイント定義情報と、当該ポイントについてのポイント補足情報と、当該ポイントについてのポイント関連情報とを記憶部３１から取得してもよい。そして処理部３３は、当該ポイント補足情報と当該ポイント関連情報とから警告詳細情報を生成してもよい。
【００３７】
図６は、処理部が生成した警告詳細情報の一例を示す図である。当該一例における警告詳細情報は、図３に例示した集約ポイント補足情報と集約ポイント関連情報とに基づいて生成されたものである。図６に示す警告詳細情報においては、各ポイントのポイント名と警告タイプと補足情報と関連情報とが関連付けられている。図６に示されるように、処理部３３は、ポイント名をキーとして、集約ポイント補足情報と集約ポイント関連情報とを連結している。そのため、図６に示す警告詳細情報において、図３に示す集約ポイント補足情報中のポイント名１の警告タイプ１と補足情報１とは、図３に示す集約ポイント関連情報中のポイント名１の関連情報１１と関連情報１２と関連情報１３とに関連付けられている。なお、図６では、警告詳細情報を表形式の情報として示しているが、各ポイントの、ポイント名と、警告タイプと、補足情報と、関連情報等とが関連付けられて含まれていれば、警告詳細情報は、表形式でなくともよい。
【００３８】
処理部３３は、表示部３４に表示する警告内容におけるポイント名に、警告詳細情報において関連付けられている補足情報および関連情報等を取得する。また処理部３３は、表示部３４に表示する警告内容におけるポイント名に、集約ポイント定義情報において関連付けられているノード番号またはユニット番号等を取得する。処理部３３は、警告内容におけるポイント名に基づいて警告詳細情報から取得した補足情報および関連情報と、当該ポイント名に基づいて集約ポイント定義情報から取得したノード番号またはユニット番号等と、を含む支援情報を当該警告内容の直下の行に表示するよう表示部３４を制御する。
【００３９】
図５を再度参照すると、指定されたポイント名「Ｃ」を含む警告内容を表示した行の下の行に表示される支援情報には、補足情報と関連情報以外に、ノード番号「Ｉ」およびユニット番号「Ｊ」等が含まれている。なお、支援情報中の、補足情報、関連情報、ノード番号、およびユニット番号等の並び方は、図５に示されているものに限定されない。
【００４０】
処理部３３は、支援情報を表示する警告内容が表示されている行の下の行に、当該支援情報の表示前に表示されている他の警告内容がある場合には、当該支援情報の表示の際に、当該他の警告内容を当該警告内容が表示されている行の下の行から、当該支援情報を表示する行の分だけ下の行に表示するよう表示部３４を制御する。すなわち、処理部３３は、支援情報の表示対象となる制御内容が表示されている行より下の行に表示されている他の制御内容を、支援情報が表示される行の分だけ下へずらして表示するよう表示部３４を制御する。
【００４１】
監視支援装置３が、上記機能を実現するための構成について以下説明する。監視支援装置３は、例えば、ＣＰＵ（Central Processing Unit）またはＭＰＵ（Micro Processing Unit）等のプロセッサと、ＲＯＭ（Read Only Memory）またはＲＡＭ（Random Access Memory）等のメモリと、ＨＤＤ（Hard Disk Drive）等の記憶装置と、通信インターフェース回路と、液晶ディスプレイ、ＥＬ（Electro Luminescence）ディスプレイ等またはＣＲＴ（Cathode  Ray  Tube）等の表示装置と、キーボード、マウス、またはタッチパネル等の入力装置等と、によって構成可能である。通信部３０の機能は、通信インターフェース回路によって実現できる。記憶部３１の機能は、メモリまたは記憶装置によって実現できる。入力部３２の機能は、入力装置によって実現できる。表示部３４の機能は、表示装置によって実現できる。処理部３３の機能は、プロセッサが、メモリまたは記憶装置に記憶されている各種プログラム等を読み出して実行することにより実現できる。監視支援装置３は、その全部または一部が専用のハードウェアによって実現されるものでもよい。
【００４２】
以下、実施の形態における監視支援方法について図７を参照して説明する。図７は、実施の形態に係る監視支援方法の一例を示すフローチャートである。ステップＳ１において、監視支援装置３が起動されると、処理部３３は、記憶部３１から集約ポイント定義情報と集約支援用詳細情報とを取得する。ステップＳ２において処理部３３は、ステップＳ１で取得した集約支援用詳細情報に含まれる集約ポイント補足情報と集約ポイント関連情報とから、警告詳細情報を生成する。
【００４３】
ステップＳ３において通信部３０が制御装置１から警告を受信しない場合には（ステップＳ３：ＮＯ）、監視支援装置３は待機または他の処理を実行する。ステップＳ３において通信部３０が制御装置１から警告を受信した場合には（ステップＳ３：ＹＥＳ）、ステップＳ４において処理部３３は、ステップＳ３において受信した警告に含まれるポイント名を、ステップＳ２で生成した警告詳細情報において検索する。そして処理部３３は、当該警告詳細情報において当該ポイント名と関連付けられている補足情報および関連情報等を取得する。また、ステップＳ４において処理部３３は、当該警告に含まれるポイント名を、ステップＳ１で取得した集約ポイント定義情報において検索する。そして処理部３３は、当該集約ポイント定義情報において当該ポイント名と関連付けられているノード番号およびユニット番号等を取得する。
【００４４】
ステップＳ５において処理部３３は、ステップＳ３において受信した警告の警告内容を表示するよう表示部３４を制御する。表示部３４は、処理部３３の制御に基づき警告内容を表示する。ステップＳ５において表示部３４は、例えば、図４で示したような、ポイント名、ディスクリプタ、および警告タイプ等を含む警告内容を表示する。ステップＳ４とステップＳ５の処理は、順番が逆であってもよい。
【００４５】
ステップＳ６において入力部３２を介してオペレータが当該ポイント名を指定しなかった場合には（ステップＳ６：ＮＯ）、処理部３３は、監視支援装置３の処理をステップＳ３に戻す。ステップＳ６において入力部３２を介してオペレータが当該ポイント名を指定した場合には（ステップＳ６：ＹＥＳ）、ステップＳ７において処理部３３は、ステップＳ４において取得した補足情報および関連情報等であって、当該ポイント名と関連付けられた補足情報および関連情報等を含む支援情報を表示するよう表示部３４を制御する。この際に、表示部３４は、ステップＳ５において当該ポイント名を含む当該警告内容を表示していた行より下の行に表示していた他の警告内容を、処理部３３からの指示により、当該支援情報を表示する行の分だけ下へとずらして表示する。なお、処理部３３は、支援情報が表示された警告内容のポイント名を、オペレータが入力部３２を介して再度指定した場合には、当該支援情報を非表示とするよう表示部３４を制御してもよい。ステップＳ７の後、処理部３３は、監視支援装置３の処理をステップＳ３へ戻す。なお、当該一例に係るステップＳ３〜ステップＳ７までの一連の処理は、警告毎に、並列して、または並行して実行される。すなわち、ステップＳ３において通信部３０が、或るポイントについての警告を受信した場合には、当該或るポイントについてステップＳ４〜ステップＳ７の処理が行われ、これに並行してステップＳ３において通信部３０が、他のポイントについての警告を受信した場合には、当該他のポイントについてステップＳ４〜ステップＳ７の処理が行われる。そして或るポイントについてのステップＳ４〜ステップＳ７の処理が完了していない状態で、通信部３０が他のポイントについての警告をステップＳ３で受信した場合には、当該他のポイントについてのステップＳ４〜ステップＳ７の処理と、当該或るポイントについてのステップＳ４〜ステップＳ７の処理とは、並列して、または並行して実行される。
【００４６】
実施の形態に係る監視支援装置３は、監視対象の複数の物理量の少なくとも１つの値が予め定められた基準から逸脱した場合において警告内容を表示する。監視支援装置３は、画面上に警告内容を表示する表示部３４と、当該表示部３４を制御する処理部３３とを備える。処理部２３３は、警告内容を補足する補足情報を含む支援情報を、当該警告内容に隣接させて表示するよう表示部３４を制御する。これにより、オペレータは、異常への対処の際に、警告内容と共に当該警告内容を補足する補足情報を含む支援情報を参考にすることができる。またオペレータは、当該支援情報を画面上で即座に確認することができる。従って、オペレータは、熟練度によらず、異常に対して即時対応を行うことができるようになる。
【００４７】
実施の形態における表示部３４は、１以上の警告内容の各々を、行毎または連続する複数の行毎に表示する。処理部３３は、支援情報を、警告内容を表示する行、または、警告内容を表示する連続する複数の行のうちの一番下の行の、下の行に表示するよう表示部３４を制御する。これにより、画面上における、警告内容と支援情報との視認性が向上し、異常に対してのオペレータのより迅速な対応が可能になる。
【００４８】
実施の形態に係る監視支援装置３は、外部からの入力を受け付ける入力部３２を更に備える。処理部３３は、入力部３２を介して、表示部３４に表示された当該１以上の警告内容のうちの少なくとも１つが指定された場合には、指定された警告内容の支援情報を表示するよう表示部３４を制御する。これにより、画面上における、警告内容と支援情報との視認性が向上し、異常に対してのオペレータのより迅速な対応が可能になる。
【００４９】
実施の形態における処理部３３は、入力部３２を介して、１以上の警告内容のうちのいずれかが指定された場合には、指定された警告内容の支援情報と、指定されなかった警告内容とが画面上において重ならないよう表示部３４を制御する。これにより、他の警告内容の支援情報が、迅速な対応等が必要な警告内容を隠蔽しなくなるため、オペレータによる作業効率の低減を抑制することができる。
【００５０】
実施の形態における処理部３３は、１以上の警告内容の各々を、画面上において、行毎または連続する複数の行毎に表示するよう表示部３４を制御し、１以上の警告情報のうちいずれかが入力部３２を介して指定された場合において、指定された警告内容を表示する１以上の行の下の行に、当該警告情報の支援情報を表示するよう表示部３４を制御する。また処理部３３は、支援情報の表示前において、当該指定された警告内容が表示されている行の下の行に表示されている他の警告内容がある場合には、当該支援情報の表示の際に、当該他の警告内容を当該指定された警告内容が表示されている行の下の行から、当該支援情報を表示する行の分だけ下の行に表示するよう表示部３４を制御する。これにより、画面上における、警告内容と支援情報との視認性が向上し、異常に対してのオペレータのより迅速な対応が可能になる。
【００５１】
実施の形態における支援情報は、警告内容に関連する関連情報であって、当該警告内容への対処の際の参考資料に対応する関連情報を含む。これにより、オペレータは、異常への対処の際に関連情報も用いることができ、より的確かつ迅速に異常への対処を行うことができるようになる。
【００５２】
実施の形態に係る監視支援装置３は、複数の物理量の各値が予め定められた基準から逸脱した場合における警告内容の支援情報が含む情報を記憶する記憶部３１を更に備える。処理部３３は、記憶部３１から取得した支援情報が含む情報を表示するよう表示部３４を制御する。これにより、監視支援装置３による警告内容と支援情報との表示処理の迅速化を図ることができる。従って、オペレータによる異常への対処の迅速化を促進することができる。
【００５３】
実施の形態に係る監視支援装置３は、複数の物理量の各値が予め定められた基準から逸脱したか否かを判定する制御装置１から警告を受信する通信部３０を更に備える。記憶部３１は、１以上の制御装置１の各々を識別するノード識別情報を記憶する。処理部３３は、通信部３０が制御装置１から警告を受信した場合であって、当該警告の警告内容と共に当該警告内容の支援情報を表示部３４に表示させる際に、当該制御装置１のノード識別情報を当該支援情報に含ませる。これにより、複数の物理量の各値が予め定められた基準から逸脱したか否かの判定を監視支援装置３が行わなくて済むようになり、警告内容と支援情報との表示処理のスピードが向上する。従って、オペレータは、迅速に警告内容と支援情報とを参照することができるようになり、異常へのより迅速な対処が可能になる。また、オペレータは、対処が必要な異常が発生したポイントの所在をより正確に把握することができるようになり、オペレータの異常への対処がより的確になる。
【００５４】
実施の形態における通信部３０は、複数の物理量の各値を計測する計測装置２から制御装置１が取得した少なくとも１つの計測結果が基準から逸脱している場合において、当該少なくとも１つの計測結果が基準から逸脱していることを示す警告を、制御装置１から受信する。記憶部３１は、複数の計測装置２の各々を識別する計測装置識別情報（例えば、ポイント名、ノード番号とスロット番号との組み合わせ、またはユニット番号等）を記憶する。警告は、基準から逸脱した計測結果を得た計測装置２の計測装置識別情報に対応する情報を含む。処理部３３は、通信部３０が制御装置１から警告を受信した場合であって、当該警告の警告内容と共に支援情報を表示部３４に表示させる際に、基準から逸脱した計測結果を得た計測装置２の計測装置識別情報を、当該警告内容または当該支援情報に含ませる。これにより、オペレータは、対処が必要な異常が発生したポイントの所在をより正確に把握することができ、オペレータの異常への対処がより的確になる。
【００５５】
なお、制御装置１と計測装置２とを有線接続した場合であって、制御装置１と監視支援装置３とを有線接続した場合における例を示したが、これらの接続のうちの少なくとも１つは無線接続でもよい。
【符号の説明】
【００５６】
１  制御装置、２  計測装置、３  監視支援装置、４  制御対象装置、５  ＩＯ（Input/Output）装置、３０  通信部、３１  記憶部、３２  入力部、３３  処理部、３４  表示部、１００  監視支援システム。
【図１】
2020198034.tif 000003
【図２】
2020198034.tif 000004
【図３】
2020198034.tif 000005
【図４】
2020198034.tif 000006
【図５】
2020198034.tif 000007
【図６】
2020198034.tif 000008
【図７】
2020198034.tif 000009